(57)【要約】【課題】既に判明（データ形式で存在済み）している図面上の信号の波形や部品の図面を参照する場合、ＰＣ上やネットワーク上のデータから別途手動検索して表示させたり、或いは別のケースでは回路図に手動で入力し、回路図上に常時表示させたりするような時間ロスを防止し、簡単なコマンド操作で自動的或いは半自動的に前述の必要情報を画面上に表示させる装置を提供する。【解決手段】参照したい対象のネットや部品の関連属性情報に信号波形及び部品図面等の項目を設定し、その参照値に従来の値や文字列のみではなく、ファイル名やＵＲＬ名が設定されているかを識別するプログラムフローを新たに有し、前述の参照値がファイル名やＵＲＬ名であるなら、その参照先のファイルを表示させる新たなプログラムフローを有することによって、必要な情報を自動又は半自動で表示させることができる構成である。【選択図】　図１
2004145513.tif 000002
【特許請求の範囲】
【請求項１】
部品やネットリストの関連属性情報値が、信号波形または部品情報の参照先アドレスであることを識別する手段と、
前記信号波形または前記部品情報が、前記参照先アドレスに存在するか識別する手段と、
前記信号波形または前記部品情報が存在する場合に、前記信号波形または前記部品情報を組み込み表示ソフトで起動し、表示装置の画面上に自動表示する手段とを備えたことを特徴とする回路図ＣＡＤ装置。
【請求項２】
前記参照先アドレスであることを識別する手段は、ファイル名またはＵＲＬ名の識別プログラムであることを特徴とする請求項１記載の回路図ＣＡＤ装置。
【請求項３】
前記参照先アドレスは、単体のマシン内、ネットワークサーバーまたはインターネットＷＥＢ上であることを特徴とする請求項１または２に記載の回路図ＣＡＤ装置。
【請求項４】
前記組み込み表示ソフトは汎用ＯＳ上で動作するものであることを特徴とする請求項１から３のいずれかの項に記載の回路図ＣＡＤ装置。
【請求項５】
前記組み込み表示ソフトを起動する手段は、前記汎用ＯＳ上でファイルの拡張子を判断してアプリケーションを起動する手段を利用することを特徴とする請求項４に記載の回路図ＣＡＤ装置。
【請求項６】
前記の組み込み表示ソフト起動手段は、起動するソフトを拡張子毎に記述し、各前記拡張子毎に複数の前記組み込み表示ソフトの名前を記述可能なリソースファイルを備え、前記リソースファイルには記述順位等により優先順位を持たせることができ、その順番にインストールされている前記組み込み表示ソフトを検索し、最初に検索できた組み込み表示ソフトを起動することを特徴とする請求項１から５のいずれかの項に記載の回路図ＣＡＤ装置。
【発明の詳細な説明】
【０００１】
【発明の属する技術分野】
本発明は、回路図を作成及び修正することを目的とした回路図ＣＡＤ装置に関するものである。
【０００２】
【従来の技術】
図１３に従来の回路図ＣＡＤ（ｃｏｍｐｕｔｅｒ　ａｉｄｅｄ　ｄｅｓｉｇｎ：計算機使用設計）装置の概略構成図を示す（例えば、特許文献１参照）。
【０００３】
同図に示す回路図ＣＡＤはクライアントマシン３、入力装置３１、表示装置３２及びＯＳ（ｏｐｅｒａｔｉｎｇ　ｓｙｓｔｅｍ）で構成される汎用パソコンやＵＮＩＸ（Ｒ）マシン上で動作する回路図ツール３０であり、回路図／シンボルエディタを中心として、ファイル制御部やシンボル入力ツール部やリソースエディタやコマンド／システム言語処理部等で構成されている。
【０００４】
また前述の回路図ツールは、関連する各種のデータベースのシンボルライブラリィ５や回路図ファイル４やリソースファイル２より適時、データのロードや書込みを行う。
【０００５】
リソースファイル２は、回路図上の表記文字等の大きさや各種線幅や線種（実線か破線か等）や図形（絵柄）やシンボルの大きさや回路図のシート（枠）の大きさや種類、表示グリッドの間隔や種類、回路図毎、或いは別のクライアントマシンでも共通に利用できるようにライブラリィ化されたシンボルファイルの保存先や回路ファイルの保存先のデフォルト設定値やデフォルトで使用するツールコマンドの選択や設定等の初期環境パラメータ２９で構成される。
【０００６】
前述の各ファイルの情報の中身についての説明を、図１４の回路図ＣＡＤ全体構成図を用いて行う。同図は従来の技術を用いた回路図データ及びネットリスト情報、部品属性情報１４、シンボルライブラリィ５、部品ライブラリィ、リソースファイル２の関係及びネットワークで運用した場合の前述の各情報の運用保管形態の関係の一例を表したものである。
【０００７】
シンボルライブラリィ５は、複数のシンボルデータ（例；図１４の符号６〜９参照）より構成される。シンボルは回路図ごとにロードして利用できるように共通化され、部品や論理素子の絵柄を示す図形や一部テキストを含むデータにより構成されている。又、回路図ファイル４において、後述の各種属性を入力できる。また、入力されている属性（例えば品番）をキーにして部品ライブラリィのシンボルの属性を再ロードできる。
【０００８】
部品シンボルライブラリィは使用するシンボル名や基板上の実際の部品のピン番号やピンの名称等や後述の部品属性情報１４により構成され、シンボルライブラリィと同様に回路図ごとにロードして再利用可能である。
【０００９】
回路図は前述の単品または複数のシンボルと単品または複数の接続信号の接続によって論理的な定義がされる。回路図ファイル４の中の情報には、前述の、論理的に他の情報とのリンクがとれたものと、他とはリンクせずに単独で存在し、文字や図形等で入力可能なコメントデータのような種別が混在する。前述の前者のリンクのとれた情報の一要因で、回路図を構成する大きなファクターである部品シンボルと接続情報であるネットリストには関連の属性情報が設定される。その関連属性情報のうち部品シンボルライブラリィにおいては部品メーカー名や代理店名や部品リファレンスや価格やピン数や部品形状等が事前に設定される。ネットリストには前述の部品シンボルの中でどの部品の何番ピンと別の部品の何番ピンが接続されるかの情報等が設定される。
【００１０】
図１５は従来のネット属性情報の図、図１６は従来のネット属性情報の実際のデータの図、図１７は従来の部品属性情報の図、図１８は従来の部品属性情報の実際のデータの図で、各々、従来の部品に対する部品属性情報及びネットリストに対するネット属性情報１３を表している。図１５はネットリストの属性情報の一例を示している。属性の項目３３には接続先情報３４が設定されている。図１６はその実際のデータを示している。同様に図１７は回路図ツールでの部品属性情報１４の一例を表し、図１８は実際のデータを表している。
【００１１】
図１７の部品品番とは部品ごとの固有の管理番号である。属性の項目３５は同図に示すように部品の回路図上の番号であるリファレンスやメーカー名や仕入れ価格や仕入れ先の代理店名やピン数や部品形状や部品の仕様、例えば、定格電圧等の属性値３６が設定される。これらの関連属性情報は従来、テキストデータのような文字列が設定される。また、前述の関連情報は、製品の開発途上や開発完了後のメンテナンスや修理上の必要な情報として、その要求事項に応じて回路図ファイル４に設定される。
【００１２】
図１９は、従来の部品属性処理及びネット属性処理フローチャートである。このように構成された従来の回路図ＣＡＤ装置の動作について説明する。すでに作成され所定のメモリ部に保管されてる回路図ファイル４が回路図ツール３０内の回路図エディタによって、起動され、所定の回路図が表示装置３２上に表示される。
【００１３】
回路図ファイル４はクライアントマシン３のあるテンポラリの領域にロードされる場合もあり、その際、修正等発生すればオリジナルのマスタファイルを書き換える場合もある。回路図エディタは回路を構成する論理素子や部品の図面上への入力や編集や配置及び信号線の接続及び編集等をおもに行う。
【００１４】
次に各シンボル部品の部品属性情報１４やネット属性情報１３を表示する手順について説明する。回路図シート上で対象物を入力装置３１により指定のコマンド操作で特定したあと、図１９のフローチャートのように、対象物がネットなのか部品なのかの識別を行い、その内容に応じて回路図ファイル４より図１６または図１８に示す実際の属性情報のデータをロードし、表示ソフトにより画面上に図１５または図１７のような形式で表示される。このとき、開発途上、或いは開発完了後の何らかの理由、例えば、回路図上で、観測済みの波形或いは手動で入力した、論理的な理想波形を用いて、回路の論理的な動作検証を行う場合や、修理やサービスの故障解析時用の正常な波形確認の為等の理由で任意のネットの信号波形を確認する必要性が発生した場合、クライアントマシン３のメモリ部全体の中から、すでにメモリ部に記録保管されている波形観測済みの波形ファイル名を検索し、前述のファイル内の接続先ネット情報等を確認して対象のネットの信号波形であることを確認して表示させており、必要に応じて何らかの印刷手段によって、印刷等も行う。同様に回路図に記載されている部品シンボルのピン番号やピン名称が実際に使用している或いは使用予定の部品の仕様と比べて間違いないかを部品図面又はデータシートより確認する場合や、部品の使用方法や回路設計に間違いがないか等の検証や確認を部品の仕様のレベルまで行う必要性が発生した場合、部品図面やデータシートもクライアントマシン３のハードディスクなどのメモリ部より検索し、部品図面データ１１や部品データシート１２を表示装置３２に表示させ、時には必要に応じて何らかの印刷手段によって、印刷等を行う。本説明では回路図ファイル４はすでに作成され保管されている場合を例に説明したが、新規に回路図を作成編集し、回路図を新規に保管する途中のプロセスでも同様のものになる。
【００１５】
【特許文献１】
実開平０４−８１６５号公報　（第１−２図）
【００１６】
【発明が解決しようとする課題】
しかしながら、前述の対象の信号波形データ１０や部品情報のファイルを探したり、或いは信号波形データ１０や部品情報が見つからない場合には、回路図ファイル４に手動によって簡易的な等価波形を手動でコメント入力して回路図上に常時表示させたり、部品図面をわざわざ検索したり、また、インターネット等からダウンロードしたりすると多大な時間ロスが発生するという問題点を有していた。
【００１７】
本発明は上記従来の問題点を解決するもので、必要な時に簡単なコマンド操作で自動或いは半自動的に前述の信号波形や部品図面や部品データシートを表示装置の画面上に表示させることができるようにした回路図ＣＡＤ装置を提供することを目的としている。
【００１８】
【課題を解決するための手段】
上記課題を解決するために本発明の回路図ＣＡＤ装置は、単なるＴＥＸＴデータのように文字列であった従来部品やネットの関連属性情報値に、ファイル名やＵＲＬ（Ｕｎｉｖｅｒｓａｌ　Ｒｅｓｏｕｒｃｅ　Ｌｏｃａｔｅｒ）が設定されていれば、それが文字列ではなく前述のファイル名やＵＲＬであるか識別する手段を有し、その前述のファイル名等がその指定先に存在するか識別する手段を有し、もし存在すれば、ファイルの拡張子等より所定の表示ソフト、例えば、Ｗｉｎｄｏｗｓ（Ｒ）（商標）表示ソフトを起動し、所定のファイルを表示装置の画面上に自動表示できるようにしたもので、この構成により、表示までの時間を大幅に短縮できるようにした回路図ＣＡＤ装置を得ることができるものである。
【００１９】
【発明の実施の形態】
本発明の請求項１に記載の発明は、部品やネットリストの関連属性情報値が、信号波形または部品情報の参照先アドレスであることを識別する手段と、信号波形または部品情報が、参照先アドレスに存在するか識別する手段と、信号波形または部品情報が存在する場合に、信号波形または部品情報を組み込み表示ソフトで起動し、表示装置の画面上に自動表示する手段とを備えたことを特徴とする回路図ＣＡＤ装置としたものであり、これによりマシン上に保存済みの信号波形や部品図面の表示までの時間を大幅に短縮するという作用を有するものである。
【００２０】
請求項２に記載の発明は、参照先アドレスであることを識別する手段は、ファイル名またはＵＲＬ名の識別プログラムであることを特徴とする請求項１記載の回路図ＣＡＤ装置としたものであり、読み込んだ関連属性情報値の一部のみにより識別を行うことができる。
【００２１】
請求項３に記載の発明は、参照先は、単体のマシン内、ネットワークサーバーまたはインターネットＷＥＢ（ワールド−ワイド−ウェッブの略）上であること特徴とする請求項１または２に記載の回路図ＣＡＤ装置としたものであり、また、請求項４に記載の発明は、組み込み表示ソフトは汎用ＯＳ上で動作するものであることを特徴とする請求項１から３のいずれかの項に記載の回路図ＣＡＤ装置としたものであり、構築するネットワークの構成にあまり依存せずに汎用性を高めることができる。
【００２２】
請求項５に記載の発明は、組み込み表示ソフトを起動する手段は、汎用ＯＳ上でファイルの拡張子を判断してアプリケーションを起動する手段を利用することを特徴とする請求項１から４のいずれかの項に記載の回路図ＣＡＤ装置としたものであり、別途アプリケーションを起動する表示ソフトを作成する必要がなく、ソフトウエアの構成が簡単になる。
【００２３】
請求項６に記載の発明は、の組み込み表示ソフト起動手段は、起動するソフトを拡張子毎に記述し、各拡張子毎に複数の組み込み表示ソフト名を記述可能なリソースファイルを備え、リソースファイルには記述順位等により優先順位を持たせることができ、その順番にインストールされている組み込み表示ソフトを検索し、最初に検索できた組み込み表示ソフトを起動することを特徴とする請求項１記載の回路図ＣＡＤ装置としたものであり、組み込み表示ソフトが複数ある場合に、画像の種類に応じて最適なものを選択することができる。
【００２４】
（実施の形態）
図１は、本発明の一実施の形態における回路図ＣＡＤ装置全体構成図、図２は本発明の一実施の形態における回路図ＣＡＤ装置のネット属性情報の説明図、図３は本発明の一実施の形態における回路図ＣＡＤ装置のネット属性情報の実際のファイル上のデータの説明図、図４は本発明の一実施の形態における回路図ＣＡＤ装置の部品属性情報の属性値にファイル名を設定した場合の説明図、図５は本発明の一実施の形態における回路図ＣＡＤ装置の部品属性情報の属性値にＵＲＬ名を設定した場合の説明図、図６は本発明の一実施の形態における回路図ＣＡＤ装置の部品属性情報実際のファイル上のデータを表す説明図、図７は本発明の一実施の形態における回路図ＣＡＤ装置の属性情報処理フローチャート、図８は本発明の一実施の形態における回路図ＣＡＤ装置の新規サブルーチンの詳細図、図９は本発明の一実施の形態における回路図ＣＡＤ装置のリソースファイル情報の説明図、図１０は本発明の一実施の形態における回路図ＣＡＤ装置のリソースファイル情報の実際のデータを表す説明図、図１１は本発明の一実施の形態における回路図ＣＡＤ装置の属性情報処理プログラムの例を示す説明図、図１２は本発明の一実施の形態における回路図ＣＡＤ装置の属性情報処理プログラムの実際のデータの説明図である。以下、これらの図面に沿って説明を行う。ここで、従来の技術と同一の構成については同一番号を付し、説明を省略する。
【００２５】
図１に示す回路図ＣＡＤ装置の全体構成図は、回路図ファイル４及びネットリスト情報、部品属性情報１４、シンボルライブラリィ５、部品ライブラリィ、リソースファイル２の関係及びネットワークで運用した場合の前述の各情報の運用保管形態の関係及び内容の一例を表したものである。シンボルライブラリィ５や部品シンボルライブラリィ、ネットリスト情報やネット属性情報１３や部品属性情報１４で構成される回路図ファイル４の基本構造は、従来の技術と同様である。
【００２６】
サーバーマシン１の中の信号波形データ１０は回路図上の接続信号をオシロスコープで実測した波形の保存データや或いはロジックアナライザ等の各種計測機器で取得した波形データを表している。このデータは本実施の形態では前述の計測器等のファイルを用いて説明しているが、汎用のイメージソフトで簡易的に手入力したものや、或いはスキャナーで取り込んだ何らかの情報データ等でも代用できる。部品図面データ１１や部品データシート１２は回路図入力前や回路図入力中、および回路図入力完了後において必要な部品の形状や寸法、ピン番号やピン名称や使用上の電気的な仕様や特性が記されている。
【００２７】
ネット属性情報の図において、属性の項目には、従来の技術の説明でも記載のある項目の他に信号波形１５の項目とその属性値のファイル名１６が設定される。
【００２８】
部品属性情報１４を示す図において、属性の項目には従来の技術の説明でも記載のある項目の他に部品図面１７の項目とその属性値のファイル名１９やＵＲＬ名１８が設定されている。信号波形データ１０や部品図面データ１１，部品データシート１２は他の回路図ファイル４やシンボルライブラリィ５や部品シンボルライブラリィのデータとともにネットワーク上に、リソースファイル２で指定された場所に配置され、必要な時に関連のソフトウエアによりアクセスされ、データのロードや場合によっては、表示装置３２への表示に利用される。本図の回路図ＣＡＤ装置全体構成の説明ではネットワークでの運用の場合を説明したが、ネットワーク運用の代わりにマシン単独の運用でも同様の効果が得られる。
【００２９】
又、同図において、部品属性は回路図の中に設定されるように説明したが、代わりに部品ライブラリィやシンボルライブラリィに設定されるようにしても同様な効果が得られる。
【００３０】
図２はネット属性情報の図を示している。属性項目の「接続先」に対応する属性情報値に、「ＩＣ４−１，ＩＣ５−２」が設定されている。これは、回路図において、部品ＩＣ４の１番ピンとＩＣ５の２番ピンが一本の接続信号で論理的な結合された回路であることを示している。ここでは、１対１の接続信号を示しているが１対多、多対多等いくらでもかまわない。又、ピン番号の接続には「−」を例として示しているが、他の表記方法例えば「／」や「・」等でもよく、また、ピン番号や部品番号の表記順序が逆になってもかまわない。属性項目には、従来の技術でも記載のある接続先情報の項目以外にも、信号波形の項目が設定され、その属性値として、「Ｄ：￥ｈａｋｅｉ￥ｎｅｔ１．ｔｉｆｆ」というファイル名及びファイル保存先が格納されている。
【００３１】
本例ではＷｉｎｄｏｗｓ（Ｒ）システムを前提に例を示しているが、システムがＵＮＩＸ（Ｒ）システムを始め他の汎用システムであれば、それに対応して認識できるようなファイル名や保存先を示す設定を行う。
【００３２】
図２の実際のファイル上のデータを図３に示す。
【００３３】
属性項目の「接続先」の後に続けて前述の接続情報の「ＩＣ４−１，ＩＣ５−２」が記載され、その後に別の属性項目である「信号波形」１５が記載されており、続けてその保存先及びファイル名１６で前述の「Ｄ：￥ｈａｋｅｉ￥ｎｅｔ１．ｔｉｆｆ」が設定されている。回路図は通常ほとんどの場合、複数の数多くの信号で接続されており、ここにもその一例としてふたつのネット番号のブロックで記載している。図４及び図５は共に部品属性情報の例を示している。図４において、回路図におけるある特定の部品に対して、部品の品番とそれに対応して８個の属性項目が設定されている。上より順に７個目までは「部品リファレンス」「製造メーカー」「代理店」「価格」「ピン数」「最大定格」「部品形状」と設定されており、それぞれ対応する属性情報値として、「ＩＣ４」「ＭＡＫＥＲ１」「＊＊＊（株）」「５０円」「４０」「１２Ｖ」「ＱＦＰ」が設定されている。属性項目の８個目に「部品図面」とその属性値に対応したファイル名１９である「Ｄ：￥ｂｕｈｉｎ−ｚｕｍｅｎ￥ＩＣ１．ｐｄｆ」が設定されている。図５は属性項目の「部品図面」の属性値にＵＲＬ名１８の「ｈｔｔｐ：／／ｔｍｐ／ｔｍｐ／ＩＣ１．ｐｄｆ」が設定され、他は図４と同様である。
【００３４】
図６は、図４や図５で説明した部品属性情報の実際のファイルデータを表しており、回路図上の２つの部品＊＊＊Ａと＊＊＊Ｂに対して各々の属性項目と属性値が「：」で区切られ記されている。本例ではデータの構造は属性項目：属性値の順であるが、その表記方法はその逆でも或いは違う表記方法でも同様の効果が得られる。又、属性項目数は８個設定しているが、その順序も数量も特に限定されない。
【００３５】
図７は属性情報の表示に関する処理フローチャートを表している。回路図を表示した状態で入力装置からの何らかのコマンド入力操作により、ネット又は部品を選択し、属性表示の処理モードに入った後の内容を示している。対象物がネットなのか部品なのか識別するソフトウエアと図８に示す新規サブルーチンの図で構成される。前述の表示処理のための新規サブルーチンのフローはＵＲＬ及びファイル名識別部、ＵＲＬ識別部と表示ソフト起動部で構成される。
【００３６】
図９及び図１０は請求項６に記載のリソースファイルの内容を示したもので、図９はリソース項目とその内容値を表している。項目の１番目から６番目まではリソースの例として「線種」「線幅」「シンボルライブラリィ保存先」「シンボルサイズ」「表示色」「回路図データ保存先」があり、各々そのリソース項目に対応した内容値として「実線」「０．５ｍｍ」「Ｃ：￥ｌｉｂｒａｒｙ￥ｆｉｌｅ１」「信号：○○色／シンボル：□□色」「Ｄ：￥ｄａｔａ￥ｄａｔａ１」が設定されている。７番目の項目２６にファイルの各拡張子２７毎の表示ソフト名２８を起動したい順位に設定している。
【００３７】
図１０は前述のリソースファイルの実際のデータの一例を示している。ここでのリソースファイルの項目の説明においてはその数量は７個であり、表示ソフトの拡張子の設定数６個で、その表示ソフトの拡張子毎の対応のアプリケーション数は、各々３個〜２個であるが、それぞれ、項目数、拡張子の設定数、アプリケーション数とも特に数量に限定はなく、他の数量でも同様の効果が得られる。
【００３８】
図１に示す回路図ＣＡＤ装置全体構成図は図２及び図４（又は図５）及び図９の各ブロックによって構成される。
【００３９】
以上のように構成された信号波形データ参照機能及び部品情報参照機能を組み込んだ回路図ＣＡＤ装置についてその動作を説明する。すでに作成済み或いは作成途中でサーバーマシン１のメモリ部に保管されてる回路図ファイル４が回路図ツール３０内の回路図エディタによって、起動され、所定の回路図が表示装置３２上に表示される。本図面での説明は部品図面データ１１や部品データシート１２及び接続信号のネットの信号波形データ１０は事前に存在し、参照先を図２、図４、図５ですでに設定した状態の説明であるが、部品図面データ１１や信号波形データ１０等の参照先が未指定でも、ツール起動時に後からの参照先の設定もできる。回路図が表示された状態で、回路図上に表示され、存在している任意のネットを入力装置を用いて何らかの方法、例えば、マウスでネットを直接クリックする等を実施して、対象のネットを選択する。この状態から何らかのコマンド操作、例えば、マウスの右クリックや回路図ツール上のメニューの選択操作等で、次の属性表示の状態に移行する。
【００４０】
次に属性表示のフローチャートを図７をもとに説明する。前述の対象物のネットが選択されたとき、対象物がネットであるかを判断する（Ｓ２０）。回路図上で入力装置で対象物が選択されると、対象物の種類としてネット番号を認識する。本対象物の場合はその種類を示すものとしてネット番号が情報として付加され関連のファイルデータとリンクがとられている。このケースでは、ネット番号であるが、別の場合は部品番号であったりする。図７では、Ｓ２０の後に対象物が部品であるかを判断するＳ２１の処理を行ってるいが、順序は逆でも同様な効果が得られる。こうして前述の対象物がネットであることが識別された後、信号波形を表示させる所定のコマンド操作がなされ、対象ネットの番号の属性情報が保管されているファイル図３がロードされる。その中の属性情報を検索しに行き、信号波形の項目の属性値３６が設定されているか判定を行う。設定がなければ属性表示処理は中断し、何らかの中断に関する表示を画面上に表示した後、通常の回路図起動直後の状態に戻る。設定がある場合は、ファイル名かＵＲＬ名かを識別にいく（Ｓ２３，Ｓ２４）。図８では、Ｓ２３の後にＳ２４の処理を行っているが、順序は逆でも同様な効果が得られる。ファイルである場合、その指定された保存先に実際にファイルが存在するか確認に行く。ファイルが存在しなければ、所定の中断を示す表示を画面上に表示し処理を中断する。前述の処理においてファイルが実在すれば、リソースファイル情報図９を参照しに行き、信号波形ファイルの拡張子と、リソースファイル内の設定された拡張子２７の欄に同一のものがあるか確認する。なければ処理を中断する。拡張子があれば、リソースファイル内に該当の拡張子２７の欄に記載されている最初の表示ソフト名２８をロードする。
【００４１】
前述のロードされた表示アプリケーション名がマシンにインストールされているか、確認にいき、マシンに存在すれば前述の信号波形のファイル名をソースファイルとして、該当のＷｉｎｄｏｗｓ（Ｒ）表示ソフトを起動させる（Ｓ２５）。
【００４２】
属性表示の処理に関する実際のプログラム例を図１１及び図１２に示す。図１１に一連の処理を文章表現を一部用いたプログラム形式で表している。又、図１２は実際のプログラムを表している。この一連の動作により特定ネットの信号波形データ１０が表示される。もし前述のリソースファイル内に設定の順位１位のアプリケーション名がマシンにインストールされていなければ、リソースファイル内に設定の順位２位の表示アプリケーション名を検索に行き、同様の処理を行う。以下、同様にして、最下位まで検索し同様の処理を行い、すべてなければ、処理を中断する表示を画面上に表示させ回路図起動後の状態に戻る。
【００４３】
以上の説明はネットの属性情報の信号波形データ１０の表示に関するものであるが、以下に、対象がネットではなく、部品である場合の部品図面データ１１又は部品データシート１２の表示の説明を同様に行う。図７において、ネットの処理と同様に対象物が部品であることが識別できたら、該当の部品番号の参照先として設定されているファイル保存先及びファイル名をロードし、ネットの場合と同様にファイルの存在を調べにいき、同様の処理を行い、ファイルの拡張子に対応したリソースファイル内の設定された表示アプリケーション名をマシン内に検索にいく。該当のものがあればネット同様に表示ソフトを起動し、データを画面上にロードする。ここまでの一連の説明では表示データの参照先をマシン単独又はネットワークサーバーマシン内のファイル名としていたが、ファイル名のかわりにＵＲＬ名を用いても同様の効果が得られる。
【００４４】
以上のように本実施の形態では回路図データ内のネット及び部品シンボルの関連属性に信号波形参照及び部品図面又は部品データシートの項目を設定し、参照データの保存先を設け、その保存先が従来の単なるテキストデータではなく、ファイル名か、ＵＲＬ名かを識別するプログラムを設け、かつ、リソースファイルにあらかじめ設定された順位でファイルの拡張子ごとに起動する表示ソフトを検索及び起動させるプログラムを設けることによって、関連の信号波形や部品図面又は部品データシートを表示させることができる。
【００４５】
【発明の効果】
以上のように本発明によれば、部品及びネットリストの属性情報として、すでに判明済みのファイル名やＵＲＬ先名を設定しておくことにより、一定の簡単な操作で関連の信号波形や部品図や部品データシート等の画像情報等を自動的に表示できることにより、前述の情報を手動で検索したり表示させたりする時間を短縮できる効果を奏することができる。
【図面の簡単な説明】
【図１】本発明の一実施の形態における回路図ＣＡＤ装置全体構成図
【図２】同回路図ＣＡＤ装置のネット属性情報の説明図
【図３】同回路図ＣＡＤ装置のネット属性情報の実際のファイル上のデータの説明図
【図４】同回路図ＣＡＤ装置の部品属性情報の属性値にファイル名を設定した場合の説明図
【図５】同回路図ＣＡＤ装置の部品属性情報の属性値にＵＲＬ名を設定した場合の説明図
【図６】同回路図ＣＡＤ装置の部品属性情報実際のファイル上のデータを表す説明図
【図７】同回路図ＣＡＤ装置の属性情報処理フローチャート
【図８】同回路図ＣＡＤ装置の新規サブルーチンの詳細図
【図９】同回路図ＣＡＤ装置のリソースファイル情報の説明図
【図１０】同回路図ＣＡＤ装置のリソースファイル情報の実際のデータを表す説明図
【図１１】同回路図ＣＡＤ装置の属性情報処理プログラムの例を示す説明図
【図１２】同回路図ＣＡＤ装置の属性情報処理プログラムの実際のデータの説明図
【図１３】従来の回路図ＣＡＤ（ｃｏｍｐｕｔｅｒ　ａｉｄｅｄ　ｄｅｓｉｇｎ：計算機使用設計）装置の概略構成図
【図１４】従来の回路図ＣＡＤ装置の概略構成図
【図１５】従来のネット属性情報の図
【図１６】従来のネット属性情報の実際のデータの図
【図１７】従来の部品属性情報の図
【図１８】従来の部品属性情報の実際のデータの図
【図１９】従来の部品属性処理及びネット属性処理フローチャート
【符号の説明】
１　サーバーマシン
２　リソースファイル
３　クライアントマシン
４　回路図ファイル
５　シンボルライブラリィ
６　シンボル
７　シンボル
８　シンボル
９　シンボル
１０　信号波形データ
１１　部品図面データ
１２　部品データシート
１３　ネット属性情報
１４　部品属性情報
１５　信号波形
１６　ファイル名
１７　部品図面
１８　ＵＲＬ名
１９　ファイル名
２６　項目
２７　拡張子
２８　表示ソフト名
２９　初期環境パラメータ
３０　回路図ツール
３１　入力装置
３２　表示装置
３３　項目
３４　接続先情報
３５　項目
３６　属性値
【図１】
2004145513.tif 000003
【図２】
2004145513.tif 000004
【図３】
2004145513.tif 000005
【図４】
2004145513.tif 000006
【図５】
2004145513.tif 000007
【図６】
2004145513.tif 000008
【図７】
2004145513.tif 000009
【図８】
2004145513.tif 000010
【図９】
2004145513.tif 000011
【図１０】
2004145513.tif 000012
【図１１】
2004145513.tif 000013
【図１２】
2004145513.tif 000014
【図１３】
2004145513.tif 000015
【図１４】
2004145513.tif 000016
【図１５】
2004145513.tif 000017
【図１６】
2004145513.tif 000018
【図１７】
2004145513.tif 000019
【図１８】
2004145513.tif 000020
【図１９】
2004145513.tif 000021